(57)【要約】【課題】  装着者に口内における異物感を与える虞を低減することができる上に、審美性の向上をも図り得るマウスピース脱落防止具及びマウスピース並びにこれらを具備した歯科矯正具を提供すること。【解決手段】  歯科矯正具１は、歯２に装着されるマウスピース３と、このマウスピース３の歯２からの脱落を防止するマウスピース脱落防止具９とを具備しており、マウスピース脱落防止具９は、歯面４に接合される接合面５を有した板状片６と、歯２に装着されるマウスピース３を係止するように接合面５に対面する面７から突出している突出部８とを夫々具備している。【選択図】図１
2005349046.tif 000002
【特許請求の範囲】
【請求項１】
歯面に接合される接合面を一方の面に有した板状片と、歯に装着されるマウスピースを係止するように板状片の接合面に対面する他方の面から突出している突出部とを具備しているマウスピース脱落防止具。
【請求項２】
板状片は、歯面の形状に合致するように変形可能な薄板からなる請求項１に記載のマウスピース脱落防止具。
【請求項３】
板状片及び突出部は、金属製又は樹脂製である請求項１又は２に記載のマウスピース脱落防止具。
【請求項４】
接合面は、多数の凹凸を有している請求項１から３のいずれか一項に記載のマウスピース脱落防止具。
【請求項５】
接合面は、全体的に凹曲状又は凸曲状に曲がっている請求項１から４のいずれか一項に記載のマウスピース脱落防止具。
【請求項６】
板状片及び突出部は、一体成形されている請求項１から５のいずれか一項に記載のマウスピース脱落防止具。
【請求項７】
請求項１から６のいずれか一項に記載の一つ又は複数のマウスピース脱落防止具の突出部に係止されるための一つ又は複数の窪み部を具備しているマウスピース。
【請求項８】
請求項７に記載のマウスピースであって、歯科矯正用のマウスピース。
【請求項９】
請求項１から６のいずれか一項に記載の一つ又は複数のマウスピース脱落防止具と、請求項７又は８に記載のマウスピースとを具備している歯科矯正具。
【発明の詳細な説明】
【技術分野】
【０００１】
本発明は、歯に装着されるマウスピースの脱落を防止するマウスピース脱落防止具及びこれと共に用いられるマウスピース並びにこれらを具備した歯科矯正具に関する。
【背景技術】
【０００２】
【特許文献１】特開２００３−３１９９４８号公報
【０００３】
例えば特許文献１においては、歯を緊締することで当該歯に装着される環状本体及びこの環状本体に設けられた突起部を有しており、斯かる突起部のマウスピースへの係合によってマウスピースの歯からの脱落を防止するマウスピース脱落防止具が提案されている。
【発明の開示】
【発明が解決しようとする課題】
【０００４】
ところで、斯かるマウスピース脱落防止具では、環状本体が歯を緊締することで当該歯に装着されるようになっているために、環状本体が歯の全周に渡って配されることとなり、従って、マウスピース脱落防止具の装着者に口内における異物感を与え易くなる虞がある。また、斯かるマウスピース脱落防止具では、環状本体が歯を緊締することで当該歯に装着されるようになっているために環状本体の歯に対する装着部位を頬側の部位や舌側の部位等に任意に選択することが困難であることから、例えば、前歯等に装着された環状本体が口外から視認される虞があり、審美性の向上も図り難い。
【０００５】
本発明は、前記諸点に鑑みてなされたものであり、その目的とするところは、装着者に口内における異物感を与える虞を低減することができる上に、審美性の向上をも図り得るマウスピース脱落防止具及びマウスピース並びにこれらを具備した歯科矯正具を提供することにある。
【課題を解決するための手段】
【０００６】
本発明の第一の態様のマウスピース脱落防止具は、歯面に接合される接合面を一方の面に有した板状片と、歯に装着されるマウスピースを係止するように板状片の接合面に対面する他方の面から突出している突出部とを具備している。
【０００７】
第一の態様のマウスピース脱落防止具によれば、特に歯面に接合される接合面を有した板状片を具備しているために、接合面の歯面に対する接合領域を狭めることができて板状片を歯に対して部分的に装着することができ、また、板状片の装着部位を歯の舌側の部位や頬側の部位等に任意に選択することができ、従って、例えばマウスピース脱落防止具が口外から視認されることがないように当該マウスピース脱落防止具を歯に装着することができ、而して、装着者に口内における異物感を与える虞を低減することができる上に、審美性の向上をも図り得る。
【０００８】
本発明においては、その第二の態様のマウスピース脱落防止具のように、板状片は、歯面の形状に合致するように変形可能な薄板からなっていてもよい。
【０００９】
第二の態様のマウスピース脱落防止具によれば、上述の構成を具備しているために、接合面を種々の形状の歯面に隙間なく確実に接合させ得る。
【００１０】
本発明においては、その第三の態様のマウスピース脱落防止具のように、板状片及び突出部は、金属製又は樹脂製であってもよい。
【００１１】
本発明においては、その第四の態様のマウスピース脱落防止具のように、接合面は、多数の凹凸を有していてもよい。斯かる多数の凹凸は、例えば接合面にメッシュ加工が施されることによって具体化されてもよい。
【００１２】
第四の態様のマウスピース脱落防止具によれば、上述の構成を具備しているために、接合面が接着剤により歯面に接合される場合には斯かる接着剤が多数の凹凸の特に凹の部分に入り込むことから、接合面を歯面に対してより強固に接合させ得る。
【００１３】
本発明においては、その第五の態様のマウスピース脱落防止具のように、接合面は、全体的に凹曲状又は凸曲状に曲がっていてもよい。
【００１４】
本発明においては、その第六の態様のマウスピース脱落防止具のように、板状片及び突出部は、一体成形されていてもよい。
【００１５】
本発明の第一の態様のマウスピースは、第一から第五のいずれかの態様の一つ又は複数のマウスピース脱落防止具の突出部に係止されるための一つ又は複数の窪み部を具備していてもよい。
【００１６】
第一の態様のマウスピースによれば、上述の構成を具備しているために、マウスピース脱落防止具によるマウスピースの係止をより強固に行うことができ、而して、マウスピースの脱落をより確実に防止することができる。
【００１７】
本発明においては、その第二の態様のマウスピースのように、歯科矯正用であってもよい。
【００１８】
本発明の歯科矯正具は、第一から第五のいずれかの態様の一つ又は複数のマウスピース脱落防止具と、第一又は第二の態様のマウスピースとを具備していてもよい。
【００１９】
尚、本発明におけるマウスピース脱落防止具、マウスピース又は歯科矯正具は、上顎側の歯及び下顎側の歯のいずれか一方に又は双方に用いられてもよい。また、本発明におけるマウスピースは、例えば歯科矯正用、スポーツ用として構成され得るが、歯科矯正用として構成されるのが好ましい。
【発明の効果】
【００２０】
本発明によれば、装着者に口内における異物感を与える虞を低減することができる上に、審美性の向上をも図り得るマウスピース脱落防止具及びマウスピース並びにこれらを具備した歯科矯正具を提供し得る。
【発明を実施するための最良の形態】
【００２１】
次に、本発明の実施の形態の例を、図に示す例に基づいて更に詳細に説明する。尚、本発明はこれら例に何等限定されないのである。
【実施例】
【００２２】
図１は、本例の歯科矯正具１が上顎側の歯２に装着された場合の説明図であり、図２は、本例の歯科矯正具１が下顎側の歯２に用いられた場合の説明図であり、図３から図５は、歯２に装着される前のマウスピース脱落防止具９の説明図であり、そして、図６は、歯２に装着された歯科矯正具１の一部説明図である。
【００２３】
歯科矯正具１は、歯２に装着されるマウスピース３と、このマウスピース３の歯２からの脱落を防止する一つ又は複数のマウスピース脱落防止具、本例では複数のマウスピース脱落防止具９とを具備している。
【００２４】
マウスピース３は、当該マウスピース３が図１に示すように上顎側の歯２に装着される場合には上顎側の歯列に略対応する形状を有しており、また、マウスピース３が図２に示すように下顎側の歯２に装着される場合には下顎側の歯列に略対応する形状を有している。
【００２５】
歯科矯正用の薄肉のマウスピース３は、マウスピース脱落防止具９が装着された歯２から予め型取りされた歯形の形状に基づいて形成されている。マウスピース３は、歯列に沿って略馬蹄状に形成された本体１１と、歯２に接するように本体１１に形成されている凹状内面１３と、突出部８の夫々に係止されるように凹状内面１３に設けられている一つ又は複数の窪み部、本例では複数の窪み部１４とを具備している。
【００２６】
本体１１は、透光性を有した合成樹脂、本例ではセルロースアセトブチレートからなり、マウスピース３が歯２に装着された際に当該歯２及びマウスピース脱落防止具９を覆うことができるように形成されている。本体１１の肉厚は、０．８ｍｍから２ｍｍ程度である。本体１１は、矯正すべき歯２に対して適正位置側に向かう圧力を与えることができるように、矯正前の歯列と矯正されるべき歯２が適正位置に配された場合の歯列とに基づいて形成されている。尚、凹状内面１３は、歯面４に密着するように歯面４の形状に対応した形状を有している。
【００２７】
複数の窪み部１４は、複数の突出部８に嵌合されることによって係止されるように、当該複数の突出部８の夫々の形状に対応した形状を夫々有している。
【００２８】
以上のマウスピース３は、歯２並びにマウスピース脱落防止具９を覆うように歯２に装着されると共に複数の窪み部１４が対応の複数の突出部８に夫々係止されるようになっている。
【００２９】
複数のマウスピース脱落防止具９は、歯面４に接合される接合面５を有した板状片６と、歯２に装着されるマウスピース３を係止するように接合面５に対面する面７から突出している突出部８とを夫々具備している。
【００３０】
板状片６及び突出部８は、金属製、例えばステンレス製であってもよく、また、樹脂製、例えば光重合レジン製であってもよい。板状片６及び突出部８は、本例のように夫々互いに一体成形されていてもよい。
【００３１】
板状片６は、歯面４の形状に合致するように変形可能な薄板からなる。板状片６の肉厚は、０．０５ｍｍから０．５ｍｍ程度であってもよく、また、０．１ｍｍから０．５ｍｍ程度であってもよい。板状片６は、その周縁３０が切削等により除去されることによって各歯２の歯面４の舌側の部位３１又は頬側の部位３２に部分的に装着される程度の大きさに調整されるようになっている。尚、周縁３０が除去された板状片６の周縁には、例えば図６に示すように、歯面４と面７とによって形成される角度θが鈍角となるように、テーパ面５０が形成されていてもよい。
【００３２】
接合面５は、図４に示すように、多数の凹凸４１を有しており、斯かる凹凸４１は、本例では板状片６において接合面５となる面にメッシュ加工を施すことにより形成されている。接合面５は、歯面４の形状に対応した形状となるように全体的に凹曲状又は凸曲状に曲がっていてもよい。接合面５は、歯面４の形状に対応する形状を有していればよく、従って、例えば、全体的に凹曲状又は凸曲状に曲げられていてもよく、更には、凸曲状又は凹曲状に曲げられた部分を有していてもよい。
【００３３】
突出部８は、略半球状、方形状、円柱状又は截頭円錐状のいずれの形状であってもよいが、本例では略半球状である。突出部８の面７から突出先端４５までの突出長さは、２ｍｍ以下であってもよく、また、斯かる長さは１．５ｍｍから２ｍｍ程度であってもよい。突出部８は、板状片６の肉厚と略同等の肉厚又は板状片６の肉厚よりも厚い肉厚を有している。尚、突出部８は、本例では板状片６の一部が接合面５側から押圧されることによって形成されている。
【００３４】
斯かる複数のマウスピース脱落防止具９は、任意の歯２に選択的に装着することができるが、本例では、正中線２０よりも一方側に位置している前歯２１、２２及び２３並びに大臼歯２４及び２５と、正中線２０よりも他方側に位置している前歯２１、２２及び２３並びに大臼歯２４及び２５とに夫々設けられている。
【００３５】
尚、マウスピース脱落防止具９は、本例では上顎側の歯２に対する装着と略同様にして下顎側の歯２に対して装着されているので、以下、上顎側の歯２に装着されるマウスピース脱落防止具９について詳細に説明し、下顎側の歯２に装着されるマウスピース脱落防止具９については図に適宜同符号を付してその詳細な説明を省略する。また、正中線２０よりも一方側に位置しているマウスピース脱落防止具９と、正中線２０よりも他方側に位置しているマウスピース脱落防止具９とは、夫々互いに略同様に構成されているので、以下、正中線２０よりも一方側に位置しているマウスピース脱落防止具９について詳細に説明し、正中線２０よりも他方側に位置しているマウスピース脱落防止具９については図に適宜同符号を付してその詳細な説明を省略する。
【００３６】
マウスピース脱落防止具９は、本例では、前歯２１、２２及び２３には一つずつ、大臼歯２４及び２５には二つずつ装着されている。
【００３７】
前歯（犬歯）２３に装着されたマウスピース脱落防止具９は、特に図６に示すように、多数の凹凸４１を有する接合面５が前歯２３の歯面４の舌側の部位３１に接着剤により接合されており、前歯２３の部位３１の形状に合致するように変形されることによって当該部位３１に対して全体的に凸曲状に曲げられている。突出部８は、マウスピース３側であって舌側に向かって突出している。
【００３８】
尚、前歯２１及び２２に夫々設けられたマウスピース脱落防止具９は、前歯２３に設けられた上述のマウスピース脱落防止具９と略同様に凸曲状に曲げられ且つ突出部８がマウスピース３側であって舌側に向かって突出しているので、以下、図に適宜同符号を付して前歯２１及び２２に夫々設けられたマウスピース脱落防止具９の詳細な説明を省略する。
【００３９】
大臼歯２５に設けられた二つのマウスピース脱落防止具９は、大臼歯２５を間にして互いに対向している。大臼歯２５に設けられた一方のマウスピース脱落防止具９の接合面５は、大臼歯２５の歯面４の舌側の部位３１に接着剤により接合されており、大臼歯２５の部位３１の形状に合致するように変形されることによって当該部位３１に対して全体的に凹曲状に曲げられている。大臼歯２５に設けられた一方のマウスピース脱落防止具９の突出部８は、マウスピース３側であって舌側に向かって突出している。大臼歯２５に設けられた他方のマウスピース脱落防止具９の接合面５は、大臼歯２５の歯面４の頬側の部位３２に接着剤により接合されており、大臼歯２５の部位３２の形状に合致するように変形されることによって当該部位３２に対して全体的に凹曲状に曲げられている。大臼歯２５に設けられた他方のマウスピース脱落防止具９の突出部８はマウスピース３側であって頬側に向かって突出している。
【００４０】
尚、大臼歯２４に設けられた二つのマウスピース脱落防止具９は、大臼歯２５に設けられた上述の二つのマウスピース脱落防止具９と略同様に構成されているので、以下、図に適宜同符号を付して大臼歯２４に設けられたマウスピース脱落防止具９の詳細な説明を省略する。
【００４１】
以上の歯科矯正具１によれば、歯面４に接合される接合面５を一方の面に有した板状片６と、歯２に装着されるマウスピース３を係止するように板状片６の接合面５に対面する面７から突出している突出部８とを具備しているマウスピース脱落防止具９を具備しているために、接合面５の歯面４に対する接合領域を狭めることができて板状片６を歯２に対して部分的に装着することができ、また、板状片６の装着部位を歯２の舌側の部位３１や頬側の部位３２等に任意に選択することができ、従って、例えばマウスピース脱落防止具９が口外から視認されることがないように当該マウスピース脱落防止具９を歯２に装着することができ、而して、歯科矯正具１の装着者に口内における異物感を与える虞を低減することができる上に、審美性の向上をも図り得る。
【００４２】
歯科矯正具１によれば、板状片６が、歯面４の形状に合致するように変形可能な薄板からなっているために、接合面５を種々の形状の歯面４に隙間なく確実に接合させ得る。
【００４３】
歯科矯正具１によれば、接合面５が多数の凹凸４１を有しているために、接合面５が接着剤により歯面４に接合される場合には斯かる接着剤が多数の凹凸４１の特に凹の部分に入り込むことから、接合面５を歯面４に対してより強固に接合させ得る。
【００４４】
歯科矯正具１によれば、マウスピース３が、一つ又は複数のマウスピース脱落防止具、本例では複数のマウスピース脱落防止具９の突出部８に係止されるための一つ又は複数の窪み部１４を具備しているために、マウスピース脱落防止具９によるマウスピース３の係止をより強固に行うことができ、而して、マウスピース３の歯２からの脱落をより確実に防止することができる。
【００４５】
尚、歯科矯正具１は、大臼歯２５の歯面４の舌側の部位３１又は頬側の部位３２に設けられたマウスピース脱落防止具９に代えて又は加えて、大臼歯２５の歯面４の遠心側の部位３３に設けられたマウスピース脱落防止具９を具備していてもよい。また、大臼歯２５が既に抜歯されている場合には、大臼歯２４の歯面４の舌側の部位３１又は頬側の部位３２に設けられたマウスピース脱落防止具９に代えて又は加えて、大臼歯２４の歯面４の遠心側の部位３３に設けられたマウスピース脱落防止具９を具備していてもよい。
【００４６】
また、歯科矯正具１は、マウスピース３に代えて、歯列の一部に装着されるように形成されたマウスピース３を具備していてもよく、例えば互いに隣接した臼歯のみに装着されるマウスピース３を具備していてもよい。
【図面の簡単な説明】
【００４７】
【図１】本発明の実施の形態の例の上顎側に歯に装着された場合の説明図である。
【図２】本発明の実施の形態の例の下顎側の歯に装着された場合の説明図である。
【図３】図１又は図２に示す例の主にマウスピース脱落防止具のマウスピース側からみた斜視説明図である。
【図４】図１又は２に示す例の主にマウスピース脱落防止具の歯側からみた斜視説明図である。
【図５】図３に示す例のＶ−Ｖ線断面矢視説明図である。
【図６】図１に示す例の一部説明図である。
【符号の説明】
【００４８】
１  歯科矯正具
２  歯
３  マウスピース
４  歯面
５  接合面
６  板状片
７  面
８  突出部
９  マウスピース脱落防止具
【図１】
2005349046.tif 000003
【図２】
2005349046.tif 000004
【図３】
2005349046.tif 000005
【図４】
2005349046.tif 000006
【図５】
2005349046.tif 000007
【図６】
2005349046.tif 000008